(57)【特許請求の範囲】
【請求項１】
内容物を充填する空間領域を有する内容器と、この内容器を内側に収めるとともに胴体におけるスクイズにて空気を加圧し加圧に係る空気を内容器へ送給可能な外容器と、この外容器の口部に装着されその押し込みにより弁部の開放を可能とする押圧ヘッドと、この押圧ヘッドの本体内に組み込まれ該弁部の開放にて内容物を微細粒子にして外界へ噴出するノズルとを備え、
前記押圧ヘッドは、外容器の口部に着脱自在に保持され該外容器の口部側壁下端に当接させてその内側に密閉空間を形成するベースキャップと、このベースキャップに固定保持され内容器の口部内において垂下される弁部を有し、
前記弁部は、内容器の空間領域につながる開口を有するシリンダーと、前記ノズルにつながる送給経路を有し押圧ヘッドの本体を支える中空ステムと、前記シリンダー内にて弾性支持され押圧ヘッドの押し込み操作に帯同させてスライド可能で、かつその押し込み動作によって開放されて内容器内の内容物を圧縮空気とともに中空ステムの送給経路へ排出する弁体からなることを特徴とする噴霧器。
【請求項２】
前記ベースキャップに、外容器の胴体のスクイズによる復元過程で開放されて外容器の内側に外気を導入する逆止弁を有する請求項１記載の噴霧器。
【請求項３】
前記外容器の口部側壁に、その内外において貫通し胴体のスクイズにて加圧された空気を排出する貫通孔を設け、前記シリンダーに、内容器の空間領域につながる通路を設け、
前記貫通孔と通路とをベースキャップの内側において形成される空間を介して連結してなり、前記通路は、加圧に係る空気が通過するときにのみ開放する逆止弁を有する、請求項１又は２記載の噴霧器。
【請求項４】
前記内容器は、外容器の胴体のスクイズに合せて変形、復元可能な軟材質からなる、請求項１〜３の何れか一項に記載の噴霧器。
【請求項５】
前記シリンダーは、その開口に、内容器の底部に向けて伸延し内部通路を通して内容物を送給するパイプを有する、請求項１〜４の何れか一項に記載の噴霧器。
【請求項６】
前記シリンダーは、その開口に、先端部分に計量カップを有し該計量カップ内の内容物のみを内部通路を通して送給するパイプを有する、請求項１〜４の何れか一項に記載の噴霧器。
【発明の詳細な説明】
【技術分野】
【０００１】
本発明は、容器内の内容物を霧状にして噴出させるのに適した噴霧器に関するものであり、内容物を圧縮空気と混合して噴出させるに当たって噴霧粒子のより一層の微細化を実現しようとするものである。
【背景技術】
【０００２】
内容物を微細噴霧する噴霧器としては、従来、分散媒を加圧媒体とともに容器に充填した、いわゆるエアゾールタイプの噴霧器が使用されている。ところで、このような噴霧器は、製造コストが嵩むうえ、分散媒を全て使いきった後においても容器内に加圧媒体が残存しているのが普通であり、その破棄に際しては容器の胴体を穿孔して加圧媒体を排出しておくことが不可欠で、廃棄処理に手間がかかるだけでなく、加圧媒体の大気中への放出が環境汚染につながることが懸念されていた。
【０００３】
このため、最近では、エアゾールタイプの噴霧器で使用されているような加圧媒体を使用せず、エアーポンプにより容器内の圧力を高めることによって、その圧力で内容物を霧状に噴出させる液面加圧式噴出器が提案されている（特許文献１参照）。
【特許文献１】実用新案登録第2560854号明細書
【０００４】
しかしながら、エアーポンプを利用した従来の噴出器は、容器内の圧力を高める操作が別途に必要であり、部品点数の増加することから容器のサイズが大きくなるのが避けられない状況にあり、その点に関する改善の余地が残されていた。
【発明の開示】
【発明が解決しようとする課題】
【０００５】
本発明の課題は、エアーを混合して内容物を霧状に噴出させるに当たって噴霧粒子をより細かくできるコンパクトな噴霧器を提案するところにある。
【課題を解決するための手段】
【０００６】
本発明は、内容物を充填する空間領域を有する内容器と、この内容器を内側に収めるとともに胴体におけるスクイズにて空気を加圧し加圧に係る空気を内容器へ送給可能な外容器と、この外容器の口部に装着されその本体の押し込みにより弁部の開放が可能な押圧ヘッドと、この押圧ヘッドの本体内に組み込まれ該弁部の開放にて内容物を微細粒子にして外界へ噴出するノズルとを備え、
前記押圧ヘッドは、外容器の口部に着脱自在に保持され該外容器の口部側壁下端に当接してその内側に密閉空間を形成するベースキャップと、このベースキャップに固定保持され内容器の口部内において垂下される弁部を有し、
前記弁部は、内容器の空間領域につながる開口を有するシリンダーと、ノズルにつながる送給経路を有し押圧ヘッドの本体を支える中空ステムと、シリンダー内にて弾性支持され押圧ヘッドの押し込み操作に帯同させてスライド可能で、かつその押し込み動作によって開放されて内容器内の内容物を圧縮空気とともに中空ステムの送給経路へ排出する弁体からなることを特徴とする噴霧器である。
【０００７】
上記の構成になる噴霧器においては、前記ベースキャップに、外容器の胴体のスクイズによる復元過程で開放されて外容器の内側に外気を導入する逆止弁を設ける。
【０００８】
また、前記外容器の口部側壁には、その内外において貫通させ胴体のスクイズにて加圧された空気を排出する貫通孔を設け、前記シリンダーには内容器の空間領域につながる通路を設け、前記貫通孔と通路とをベースキャップの内側において形成される空間を介して連結し、該通路には、加圧に係る空気が通過するときにのみ開放する逆止弁を設ける。
【０００９】
前記外容器は、スクイズにて変形（容積の減容化）、復元可能な材質にて構成することができ、内容器についても、外容器の胴体のスクイズに合せて変形、復元可能な材質にて構成することもできる。
【００１０】
前記シリンダーは、その開口に、内容器の底部に向けて伸延しその内部通路を通して内容物を送給するパイプを設けるか、あるいは、先端部分に計量カップを有し該計量カップ内の内容物のみをその内部通路を通して送給するパイプを配置する。
【発明の効果】
【００１１】
外容器の胴体をスクイズすると、外容器内の空気は加圧されて圧縮空気として内容器内へと送給される。この状態で押圧ヘッドを押し込むと、内容器内の内容物が空気と混在して微細粒子となってノズルから噴出される。
【００１２】
圧縮空気は、外容器の胴体をスクイズすることで生成することができ、しかも、内容物を微細粒子にする機構は押圧ヘッドのベースキャップに組み入れることが可能なので、容器の大型化を伴うことがない（コンパクト化が可能）。
【００１３】
内容器内にパイプによって保持された計量カップを配置しておくことで、内容物の定量的な噴出が可能となる。
【発明を実施するための最良の形態】
【００１４】
以下、図面を参照して本発明をより具体的に説明する。
図１は本発明に従う噴霧器の全体を示した図であり、図２はその要部を拡大して示した図である。
【００１５】
図１、２において１は内容物を充填する空間領域ｍを有する内容器、２は内容器１を内側に収める復元可能な材質からなる外容器である。外容器２はその口部2aにおいて内容器１の口部1aを係止、固定するようになっていて、その胴体2bにおけるスクイズにて空気を加圧、圧縮することができるようになっている。
【００１６】
また、３は外容器２の口部2aに着脱自在にねじ止め（アンダーカットでもよい）された押圧ヘッドである。この押圧ヘッド３は押し込み部分となる本体3aと、外容器２の口部2aにねじ係合し該口部側壁下端2a′に当接してその内側に密閉空間を形成するベースキャップ3bと、このベースキャップ3bの裏面に固定保持され内容器１の口部1a内において垂下される弁部3cからなっている。
【００１７】
弁部3cは内容器１の空間領域ｍにつながる開口ｈを有するシリンダー3c１と、ノズルにつながる送給経路Ａを有し押圧ヘッド３の本体3aを支える中空ステム3c２と、シリンダー3c１内にてスプリングＳにより弾性支持され押圧ヘッド３の押し込み操作に帯同させてスライド可能で、かつその押し込み動作によって開放されて内容物を加圧に係る空気とともに貫通孔Ｐを通して中空ステム3c２の送給経路Ａへ排出する弁体3c３からなる。
【００１８】
さらに、４は押圧ヘッド３の本体3a内に組み込まれたノズル、５はベースキャップ3bに設けられ、外容器２の胴体2bのスクイズによる復元過程で開放されることで外容器２の内側に外気を導入する逆止弁、６は外容器２の口部側壁に設けられ、胴体2bのスクイズにて加圧された空気を排出する貫通孔、７はシリンダー3c１の縁部に設けられ、内容器１の空間領域ｍにつながる通路、８は通路７の入側に配置され、加圧に係る空気が通過するときにのみ開放する逆止弁、そして、９はベースキャップ3bの内側において形成され、貫通孔６及び通路７をつなぐ密閉空間である。
【００１９】
内容器１内の内容物を微細粒子にして噴出（霧状）させるには、まず、外容器２の胴体2bを図３に示すようにスクイズする。そうすると、その内側に存在する空気は図２の矢印の如く加圧、圧縮され、外容器２の口部側壁の貫通孔６、密閉空間９、逆止弁８さらに通路７を経て内容器１内へ流入する。スクイズ後、内容器１は加圧状態にあるので押圧ヘッド３の本体3aを図４に示すように押し込むこと、内容器１内の内容物はパイプｅを通り図中の矢印に従い圧縮空気とともに微細粒子となってノズル４から排出される。
【００２０】
外容器２はスクイズを可能とするため元の形状に復元可能な材質（例えば、ポリエチレン、ポリプロピレン、ポリエチレンテレフタレート、ゴム、エラストマー等）にて構成される。
【００２１】
内容器１については、軟材質にて構成することもできる。この場合、加圧に係る空気が内容器１に流入すると、内容物の充填及び圧縮空気の流入に伴って膨張した該内容器１自体が元の形状に復元しようとする力（収縮力）が作用するため、内容物の噴出圧をより一層高めることができる利点がある。
【００２２】
図５は内容器１を軟材質にて構成し、開口ｈにつながるパイプｅの先端に計量カップ10を取り付けた、本発明に従う他の実施の形態を示した図である。
【００２３】
かかる構成の噴出器は、図６に示すように外容器２の胴体2bのスクイズとともに内容器１が変形、復元するものであり、スクイズによって内容器１内を加圧したのちに、容器自体を反転させ、計量カップ10内に内容物を注入し図７に示す如く押圧ヘッド３を押し込むことにより、該計量カップ10内の内容物のみを微細粒子（霧状）として噴出させることができるもので、この噴出器は、容器を反転させて計量カップ10にまず内容物を入れ、その後に外容器２を内容器１とともにスクイズして、圧縮空気を内容物１へ送り込んでも同様に微細粒子を噴出させることもでき、これにより内容物の定量噴出が可能となる。
【産業上の利用可能性】
【００２４】
圧縮空気を利用して内容物を微細粒子にして霧状に噴出させることができるコンパクトな噴霧器が提供できる。
【図面の簡単な説明】
【００２５】
【図１】本発明に従う噴霧器の実施の形態を示した図である。
【図２】図１に示した噴霧器の要部を拡大して示した図である。
【図３】図１に示した噴霧器をスクイズした状態を示した図である。
【図４】図１に示した噴霧器にて内容物を噴出させた状態を示した図である。
【図５】本発明に従う噴霧器の他の実施の形態を示した図である。
【図６】図５に示した噴霧器をスクイズした状態を示した図である。
【図７】図５に示した噴霧器にて内容物を噴出させた状態を示した図である。
【符号の説明】
【００２６】
１  内容器
1a  口部
２  外容器
2a  口部
2b  胴体
３  押圧ヘッド
3a  本体
3b  ベースキャップ
3c  弁部
3c１  シリンダー
3c２  中空ステム
3c３  弁体
４  ノズル
５  逆止弁
６  貫通孔
７  通路
８  逆止弁
９  密閉空間
10  計量カップ
ｍ  空間領域
Ａ  送給経路
ｅ  パイプ
ｈ  開口
【図１】
0004804932.tif 000002
【図２】
0004804932.tif 000003
【図３】
0004804932.tif 000004
【図４】
0004804932.tif 000005
【図５】
0004804932.tif 000006
【図６】
0004804932.tif 000007
【図７】
0004804932.tif 000008